(57)【特許請求の範囲】
【請求項１】
スプリンクラー回路に供給する圧力水の給水源として一般水道給水を用いるスプリンクラー装置において、
スプリンクラー装置の感知管内に感知用の圧縮空気又は不活性ガスを使用し、火災感知によるスプリンクラーヘッドの開放動作で圧力低下と連動して開く圧力制御弁により、作動用の不活性ガス又は圧縮空気の開閉をコントロールし、消火液配管へ加圧動作することにより消火液配管内に充填してある消火液をスプリンクラーヘッドに送り放射するようにした住宅等小規模建築物用スプリンクラー装置であって、
水道管と蛇口の間に設けた給水制御弁（８）と、
前記給水制御弁（８）から通水用逆止弁（13）を介して末端のスプリンクラーヘッド（３）に配設したスプリンクラー配管（１）と、
前記給水制御弁（８）から起動用逆止弁（11）を介して前記スプリンクラー配管（１）の下流側管路途中に管接続した感知管（14）と、
前記感知管（14）の管路途中から分岐し、圧力制御弁（２）を介して消火液を貯留保持するための消火液配管（６）を設け、かつ、該消火液配管（６）の一部から延設され消火液放出用逆止弁（12）を介してスプリンクラー配管（１）の上流側管路途中に管接続した消火液放出配管（４）と、
前記圧力制御弁（２）を介して併設され、空気又は不活性ガスを圧縮貯留した作動ガスボンベ（５）と、
前記消火液放出配管（４）から分岐して設けられ、該配管内の作動ガスを外部開放するための自動ガス抜き弁（７）
を具備したことを特徴とする住宅等小規模建築物用スプリンクラー装置。
【請求項２】
スプリンクラー回路に供給する圧力水の給水源として一般水道給水を用いるスプリンクラー装置において、
水道管と蛇口の間に設けた給水制御弁（８）と、
前記給水制御弁（８）から通水用逆止弁（13）を介して末端のスプリンクラーヘッド（３）に配設したスプリンクラー配管（１）と、
前記給水制御弁（８）から起動用逆止弁（11）を介して前記スプリンクラー配管（１）の下流側管路途中に管接続した感知管（14）と、
前記感知管（14）の管路途中から分岐し、圧力制御弁（２）を介して消火液を貯留保持するための消火液配管（６）を設け、かつ、該消火液配管（６）の一部から延設され消火液放出用逆止弁（12）を介してスプリンクラー配管（１）の上流側管路途中に管接続した消火液放出配管（４）と、
前記圧力制御弁（２）を介して併設され、空気又は不活性ガスを圧縮貯留した作動ガスボンベ（５）と、
前記消火液放出配管（４）から分岐して設けられ、該配管内の作動ガスを外部開放するための自動ガス抜き弁（７）を具備し、
前記感知管（14）内に感知用の圧縮空気又は不活性ガスを使用し、火災感知による前記スプリンクラーヘッド（３）の開放動作で圧力低下と連動して開く前記圧力制御弁（２）により、作動用の不活性ガス又は圧縮空気の開閉をコントロールし、前記消火液配管（６）へ加圧動作することにより該消火液配管（６）内に充填してある消火液をスプリンクラーヘッド（３）に送り放射して初期消火をおこない、次いで不活性ガス又は圧縮空気の圧力が低下することによって、前記給水制御弁（８）の切替動作で前記スプリンクラー配管（１）への水道給水を開始する２段階の消火動作をおこなうようにしたことを特徴とする住宅等小規模建築物用スプリンクラー装置。
【発明の詳細な説明】
【０００１】
【発明の属する技術分野】
本発明は住宅等小規模建築物用スプリンクラー装置に関するものである。
【０００２】
【従来の技術】
従来、予作動式スプリンクラー設備配管の二次側を圧縮空気又は不活性ガスで充填していたが予作動弁に死水が出来る為、住宅等小規模建築物用スプリンクラー装置としては水道直圧式は、出来なかった。また、予作動式又はスプリンクラー装置はアラーム弁又は予作動弁により加圧送水を制御するため災害時等水道水や電気の供給が遮断されれば機能しない物の為、加圧送水装置や発電装置が必要であった。
【０００３】
前記以外の従来装置において、貯水タンクに炭酸ガス圧をかけ配管に常時加圧するもので炭酸ガスも放出されるため住宅等小規模建築物用スプリンクラー装置には問題があった。
【０００４】
【発明が解決しようとする課題】
本発明が解決しようとする課題は、電気、水道が遮断されても初期消火可能とする点、及び結露、凍結を起こさないようにする点、また水道直圧が利用出来るようにする点を技術解決課題とするものである。
【０００５】
本発明はこのような事情に鑑みなされたものであって、消火液配管内にある一定量の消火液で効率の良い消火をする為、作動用の圧縮空気又は不活性ガスの圧力でウォーターミストを利用する。又、スプリンクラー配管を感知管として併用し感知用の圧縮空気又は不活性ガスを使用する。及び水道水に死水の出来ない切替制御弁（給水制御弁に同じ）を利用するものである。
【０００６】
【課題を解決するための手段】
本発明は、スプリンクラー回路に供給する圧力水の給水源として一般水道給水を用いるスプリンクラー装置において、
スプリンクラー装置の感知管内に感知用の圧縮空気又は不活性ガスを充填し、火災感知によるスプリンクラーヘッドの開放動作で圧力低下と連動して開く圧力制御弁により、作動用の不活性ガス又は圧縮空気の開閉をコントロールし、消火液配管へ加圧動作することにより消火液配管内に充填してある消火液をスプリンクラーヘッドに送り放射するようにした住宅等小規模建築物用スプリンクラー装置である。
【０００７】
その特徴構成は、水道管と蛇口の間に設けた給水制御弁（８）と、
前記給水制御弁（８）から通水用逆止弁（13）を介して末端のスプリンクラーヘッド（３）に配設したスプリンクラー配管（１）と、
前記給水制御弁（８）から起動用逆止弁（11）を介して前記スプリンクラー配管（１）の下流側管路途中に管接続した感知管（14）と、
前記感知管（14）の管路途中から分岐し、圧力制御弁（２）を介して消火液を貯留保持するための消火液配管（６）を設け、かつ、該消火液配管（６）の一部から延設され消火液放出用逆止弁（12）を介してスプリンクラー配管（１）の上流側管路途中に管接続した消火液放出配管（４）と、
前記圧力制御弁（２）を介して併設され、空気又は不活性ガスを圧縮貯留した作動ガスボンベ（５）と、
前記消火液放出配管（４）から分岐して設けられ、該配管内の作動ガスを外部開放するための自動ガス抜き弁（７）
を具備したものである。
【０００８】
ここで、スプリンクラーヘッド（３）は公知の閉鎖式ヘッドであって、火災時の熱により閉鎖手段が破壊されて開放状態となるものである。また、給水制御弁（８）は水道管と蛇口の間に配置した切替制御弁である。
【０００９】
そして、感知管（14）内に感知用の圧縮空気又は不活性ガスを充填し、火災感知による前記スプリンクラーヘッド（３）の開放動作で圧力低下と連動して開く圧力制御弁（２）により、作動用の不活性ガス又は圧縮空気の開閉をコントロールし、消火液配管（６）へ加圧動作することにより該消火液配管（６）内に充填してある消火液をスプリンクラーヘッド（３）に送り放射して初期消火をおこなう。
【００１０】
次いで、不活性ガス又は圧縮空気の圧力が低下することによって、給水制御弁（８）の切替動作でスプリンクラー配管（１）への水道給水を開始する。
【００１１】
このようにして２段階の消火動作をおこなうようにしている。
【００１２】
【実施例】
本発明の一実施例である住宅等小規模建築物用スプリンクラー装置〔以下、実施例装置。〕を添付図面（図１）に基づいて以下説明する。
【００１３】
図１に実施例装置の配管構成を説明する系統図を示すように、作動ガスボンベ（５）には圧縮空気又は不活性ガスが充填され、圧力制御弁（２）に接続して開閉制御されている。また圧力制御弁（２）には、平常時に、感知管（14）及びスプリンクラー配管（１）に圧縮空気又は不活性ガスを充填してコントロール圧力がかけてあり、コントロール圧力が高い時は作動ガスボンベ（５）は閉止状態となる。ここで、起動用逆止弁（11）は順圧開通状態にあり、消火液放出用逆止弁（12）及び通水用逆止弁（13）は逆圧閉止状態となっている。
【００１４】
火災時に、スプリンクラーヘッド（３）が熱破壊して開放状態となることにより、感知管（14）とスプリンクラー配管（１）の管内圧力（コントロール圧力）が低下すると、この減圧変動により、圧力制御弁（２）の開動作を誘起する。すなわち、初期消火動作を起動する。
【００１５】
そして、圧力制御弁（２）の開動作（開制御）により閉止状態を解かれた作動ガスボンベ（５）から作動ガスの高い圧力が消火液配管（６）内（の消火液）にかかることにより、消火液配管（６）に充填してある消火液が消火液放出配管（４）より吐出する。
【００１６】
消火液の吐圧（送給圧力）により消火液放出用逆止弁（12）が開動作し、消火液はスプリンクラー配管（１）へ放出される。
【００１７】
この時、水道メーター（９）と蛇口（10）の間に設置された給水制御弁（８）も切替動作となり、水道水が通水用逆止弁（13）まで供給されるが、スプリンクラー配管（１）内の消火液放出圧力が高いため通水用逆止弁（13）は逆圧閉止状態となる。同時的に、感知管（14）とスプリンクラー配管（１）との間に介在する起動用逆止弁（11）も逆圧閉止状態となる。
【００１８】
こうして、消火液が消火液放出配管（４）より消火液放出用逆止弁（12）を通過してスプリンクラー配管（１）を圧送されスプリンクラーヘッド（３）より放射される〔初期消火〕。
【００１９】
そして、消火液配管（４）内の消火液が無くなると自動ガス抜き弁（７）の液面が下がり作動ガスボンベ（５）より加圧された消火液配管（６）内の作動ガスが放出されスプリンクラー配管（１）内の差圧も無くなる。
【００２０】
この時、通水用逆止弁（13）で閉止されていた水道水は、スプリンクラー配管（１）内の圧力低下により通水状態となる。水道水の送水により消火液放出用逆止弁（12）と起動用逆止弁（11）は閉動作し、水道水はスプリンクラー配管（１）を通りスプリンクラーヘッド（３）より散水される〔追加スプリンクラー動作〕。なお、一連の動作の各圧力は標準で、水道水圧０．３ＭＰａから０．５ＭＰａ、ガスボンベ圧１ＭＰａから５ＭＰａ、感知管コントロール圧０．２ＭＰａから０．８ＭＰａとするのが好ましい。
【００２１】
【発明の効果】
以上説明したように本発明のスプリンクラー装置は、水道水が遮断されていても消火液による初期消火が可能である。初期消火が終了した場合でも水道水が遮断されていなければ、追加スプリンクラー動作となるので、２段階で消火動作可能である。また、平常時にスプリンクラー配管内（及び感知管内）を乾式保持しているので、凍結や結露の機器対策が不要であり、よって新築はもちろん既設建築物への設備対応が容易である。
【図面の簡単な説明】
【図１】  実施例装置の配管構成を説明する系統図である。
【符号の説明】
１  スプリンクラー配管
２  圧力制御弁
３  スプリンクラーヘッド
４  消火液放出配管
５  作動ガスボンベ
６  消火液配管
７  自動ガス抜き弁
８  給水制御弁
９  水道メーター
10  蛇口
11  起動用逆止弁
12  消火液放出用逆止弁
13  通水用逆止弁
14  感知管
【図１】
0003941004.tif 000002